【事件の表示】
　平成　７年特許願第　３３４１５号「デジタルタブレット」拒絶査定不服審判事件〔平成　８年　２月　６日出願公開、特開平　８−　３６４５１〕について、次のとおり審決する。
【結　論】
　本件審判の請求は、成り立たない。
【理　由】
第１．手続きの経緯
　本願は、平成７年２月２２日（パリ条約による優先権主張平成６年２月２３日、米国）の出願であって、平成１６年３月１７日に拒絶査定がなされ、これに対し、同年６月２１日に拒絶査定不服審判が請求されると共に同年７月２１日付けで手続補正がなされたものである。
　
第２．補正却下の決定
　
補正却下の決定の結論
　平成１６年７月２１日付けの手続補正を却下する。
　
理由
　
１．補正後の本願発明
　本件補正により、特許請求の範囲の請求項１は、次のように補正された。
　
【請求項１】
　スタイラスからスタイラス位置とテレメトリを含む信号を受信してデジタル信号に変換するデジタルタブレットであって、
　第１の周波数ｆ１を中心とする通過帯域を有し他の周波数帯域に対しては通過帯域を有さない特性を有し、前記スタイラス位置を示す第１の受信信号を受信する第１のフィルタと、
　第２の周波数ｆ２を中心とする通過帯域を有し他の周波数帯域に対しては通過帯域を有さない特性を有し、前記テレメトリを示す第２の受信信号を濾過する第２のフィルタと、を備え、
　前記スタイラス位置を示す第１の受信信号は、前記第１の周波数ｆ１のキャリア信号を有し、前記テレメトリを示す第２の受信信号は、前記第２の周波数ｆ２のキャリア信号を有することを特徴とするデジタルタブレット。
　
　本件補正は、請求項１に記載した発明を特定するために必要な事項である「アナログ信号」を「スタイラス位置とテレメトリを含む信号」に限定し、「第１の受信信号」を「前記スタイラス位置を示す第１の受信信号は、前記第１の周波数ｆ１のキャリア信号を有し」に限定し、「第２の受信信号」を「前記テレメトリを示す第２の受信信号は、前記第２の周波数ｆ２のキャリア信号を有する」に限定するものであり、特許法第１７条の２第４項第２号の特許請求の範囲の減縮を目的とするものに該当する。
　
２．独立特許要件
　そこで、本件補正後の請求項１に係る発明（以下、「本願補正発明」という。）が特許出願の際独立して特許を受けることができるものであるか（特許法第１７条の２第５項において準用する同法１２６条第５項の規定に適合するか）について以下に検討する。
　
（１−１）刊行物１記載の発明
　原査定の拒絶の理由に引用された、特開昭６３−２９６１２４号公報（以下、「刊行物１」という。）には、図面と共に以下の記載がなされている。
　
〔産業上の利用分野〕
　本発明はＣＡＤなどの入力装置として用いられる座標検出装置、特にピックアップからファンクション信号を装置本体に送出可能の電磁誘導方式の座標検出装置に関する。
〔従来の技術〕
　第６図は従来のこの種の装置の要部を示すブロツク図で、図中１１はカーソルやスタイラスペンなどのピックアップである。このピックアップ１１中には、座標検出のための励磁信号を発振する励磁発振器１１ａとファンクシヨン信号発生器１１ｂ、それらの各ドライバ１１ｃ、１１ｄ及びドライバ１１ｃからの励磁信号を磁界に変換して出力する送信用コイル１１ｅが設けられている。１２は座標検出装置本体で、前記コイル１１ｅからの磁界を入力する位相検出器１２ａと、前記ドライバ１１ｄからのファンクション信号を伝送ケーブル１３を介して入力するファンクション信号検出器１２ｂとが設けられている。
（第１頁左欄１８行〜同頁右欄１５行）
　
〔実施例〕
　以下、図面を参照して本発明の詳細な説明する。第１図は本発明による座標検出装置の一実施例の要部を示すブロック図で、図中１１ａ〜１１ｄ、１１２ａ、１２ｂは各々第６図と同様である。１１も第６図と同様にカーソル又はスタイラスペンなどのピックアップを示すが、ここでは、さらにドライバ１１ｆを備えてなる。このドライバ１１ｆ（便宜上、ドライバ１１ｃを第１ドライバ、ドライバ１１ｄを第２ドライバ、ドライバ１１ｆを第３ドライバという）は、第１ドライバ１１ｃから出力される励磁信号（第２図(A)参照）と第２ドライバ１１ｄから出力されるファンクション信号（第２図(B)参照）との加算信号（第２図(C)参照）を出力する。１１ｅも第６図と同様に送信用コイルを示すが、ここでは第３ドライバ１１ｆからの加算信号を磁界に変換して出力するものである。
　１２も第６図と同様に装置本体を示すが、ここでは前記送信用コイル１１ｅからの磁界を入力して電気信号に変換する受信用コイル１２ｃ、この受信用コイル１２ｃからの電気信号（前記加算信号に相当する信号）を前記励磁信号とファンクション信号とに分離するフィルタ１２ｄ、１２ｅをも備えてなる。
　すなわち本発明装置は、励磁信号とファンクション信号とを加算するなど、相方合わせて１信号化し、磁界に変換して装置本体１２に磁気的に伝送し、これを装置本体１２に設けられた受信用コイル１２ｃで受けて電気信号に変換し、フィルタ１２ｄ、１２ｅによって励磁信号とファンクション信号とに分離するようにし、信号伝送路の全ワイヤレス化を実現したものである。
（第２頁右上欄２行〜同頁左下欄１２行）
　
　第５図は、前記ファンクション信号検出器１２ｂの具体例を示す回路図である。図示するようにここでは、まず前記フィルタ１２ｅにより抽出されたファンクション信号の先頭にあるスタート信号の立ち上りエツジをＤ−ＦＦ４１が検出し、バイナリカウンタ４２のリセットを解除する。このカウンタ４２は、発振器４３よりクロック信号を与えられてカウントアツプを続ける。
　ここで、前記ファンクション信号発生器１１ｂ内の発振器２１（第４図参照）の発振周波数をｆ２１とし、ファンクション信号検出器１２ｂ内の上記発振器４３の発振周波数をｆ４３とすると、
ｆ４３＞ｆ２１となり、
ｆ４３／ｆ２１＝Ｃ（Ｃは自然数）
という条件が必要である。
　カウンタ４２の値が所定数に達すると、ファンクション信号をシフトレジスタ４４に取り込むためのラツチ信号がカウンタ４２の出力端０１より出力される。このような動作を何度か繰り返し、ファンクシヨン信号をシフトレジスタ４４に取シ込み終えたところでカウンタ４２の出力端０２よりトリガ信号が出力され、それを受けてマルチバイブレータ４５がアクティブローの信号を負論理ＯＲゲート４６に入力する。負論理ＯＲゲート４６の出力は前記Ｄ−ＦＦ４１をクリアし、カウンタ４２は再びリセット状態に戻って信号の受け付けを終える。
　カウンタ４４の出力は、データラッチ４７により、マルチバイブレータ４５のインアクティブになる時の立ち上りのタイミングでラッチされる。データラッチ４７の出力は、座標検出装置本体１２内のコンピュータのデータラインＣＰＵ　ＤＡＴＡ　ＢＵＳに接続される。
（第３頁左上欄１９行〜同頁左下欄１１行）
　
　以上の記載により、刊行物１には、次の発明（以下、「刊行物１記載発明」という。）が記載されていると認められる。
　
　スタイラスペン１１から励磁発振器１１ａが発振した座標検出のための励磁信号と、ファンクション信号を含む加算信号を受信する座標検出装置本体１２であって、
　信号を励磁信号とファンクション信号とに分離し受信するための、励磁信号を通過させるフィルタ１２ｄと、
　信号を励磁信号とファンクション信号とに分離し受信するための、ファンクション信号を通過させるフィルタ１２ｅと、
　前記フィルタ１２ｅにより抽出されたファンクション信号をコンピュータのＣＰＵ　ＤＡＴＡ　ＢＵＳに接続するファンクション信号検出器１２ｂとを備える、
　ＣＡＤなどの入力装置として用いられる座標検出装置本体１２。
　
（１−２）刊行物２記載の発明
　原査定の拒絶の理由に引用された、特開平２−２５３３２２号公報（以下、「刊行物２」という。）には、図面と共に以下の記載がなされている。
　
［産業上の利用分野］
本発明は、図形、キャラクタ等の情報入力装置にかかわり、特にワイヤレスタイプのペンタッチ式情報入力装置に関するものである。
（第１頁左欄１８行〜同頁右欄１行）
　
［課題を解決するための手段］
　本発明は如上の従来の問題点を解決するためになされたもので、位置情報を発生するための第１の周波数発振回路と、ペンスイッチ情報を発生するための第２の周波数発信回路および搬送波切替回路を内部に有する信号発生器と、該信号発生器からの位置情報信号を受信する座標軸に沿った電極線を配置されたタブレットと、該タブレットの電極線からの信号を検出して、前記信号発生器のタブレットへの当接位置情報を入力する手段と、前記信号発生器からのペンスイッチ情報信号を受信する前記タブレットの電極線に覆われた領域で、タブレットの電極線の直下に配置された導電体からなる受信板を有する情報入力装置を提案するものである。
　
［実施例］
　本発明を添付図面を参照して説明する。第１図は本発明の概略ブロック図、第２図はタブレットの縦断面図、第３図は波形図である。参照符号１は信号送信手段を示し、参照符号２では受信手段としてのタブレットを、参照符号１０は信号受信手段を示している。信号送信手段１には、信号送信用ペン６に位置情報を発生するための信号を印加する発信回路を含む座標検出用発信器７が内蔵されているが、本発明の要旨ではないので説明は割愛する。信号送信手段１には更に、電池３、発信回路４及びスイッチ回路５が配置されている。
　前記タブレット２は従来のタブレットと同様に複数の電極線がＸ、Ｙ軸方向に配置され、この電極線部分２−１の下に絶縁材２−２，２−３の間に導電材の板（例えば銅板）２−４が配置されている。各電極線は位置検出用受信器８として示した信号受信手段１０に接続されている。信号受信手段１０には更に所定の周波数の搬送波だけを取り出すフィルター１１，１０１、増幅器１２，１０２、検波回路１３，１０３および比較回路１４，１０４が収納され、制御回路２０に接続されている。
　次に、動作について説明する。始めにスイッチ回路５の所望の周波数に対応したスイッチをオンにし電池３から電源が供給され、電池４の電池状態をチェックし、電池電圧が良好であれば発振回路４で励起されたを搬送波を信号送信用ペン６の先端に印加する。（第３図Ａ参照）ここで、タブレット２の銅板２−４に搬送波信号が誘起し、受信手段１０内にあるフィルター１１，１０１によって特定の搬送波だけを取り出し（第３図Ｂ参照）、増幅器１２，１０２によって増幅される（第３図Ｃ参照）。増幅器１２，１０２によって増幅された信号は、検波回路１３，１０３によって復調し、直流電圧に変換され（第３図Ｄ参照）、比較回路１４，１０４によって所定の電圧（第３図Ｅ参照）と比較され、所定の電圧より高ければ出力（第３図Ｆ参照）として取り出され、制御回路２０に送出される。この制御回路２０においてスイッチ情報として処理されコンピュータへ送出される。
（２頁右上欄５行から同頁右下欄６行）
　
　以上の記載により、刊行物２には、次の発明（以下、「刊行物２記載発明」という。）が記載されていると認められる。
　
　信号送信用ペン６、信号送信用ペン６から第１の周波数発振回路が出力した位置情報信号と第２の周波数発振回路が出力したペンスイッチ情報信号を受信してコンピュータへ送出するタブレット２及び信号受信手段１０からなる情報入力装置の信号受信手段１０であって、
　第１の周波数発振回路が出力した位置情報信号を受信する位置検出用受信器８と、
　第２の周波数発振回路が出力したペンスイッチ情報信号の搬送波信号だけを取り出すフィルター１１、１０１と、
を備える信号受信手段１０。
　
（１−３）刊行物３記載の発明
　原査定の拒絶の理由に引用された、特開昭６１−１６３４２７号公報（以下、「刊行物３」という。）には、図面と共に以下の記載がなされている。
　
〔従来の技術〕
　第２図は従来のワイヤレス電磁結合型座標入力装置のブロック図である。
　移動コイル部２６は電源スイッチ２４、電源２３、発振回路２２、入力スイッチ２５、コイル２１から構成される。入力スイッチ２５は、オペレータがＣＡＤ等のコンピュータに対し何らかのイベントを入力する時に用いられる。
　座標入力装置を操作するには、電源スイッチ２４をＯＮする。このとき、発振回路２２は電源回路２３から電源の供給を受け、何らかの周波数で発振を開始する。この波振電流でコイル２１を駆動することにより、コイル２１から駆動周波数に等しい周波数の電磁波が発生する。
　入力スイッチ２５が操作されると、コイル２２からは前記の発振周波数と異なる周波数の電磁波を発生する。
　Ｘ方向、及びＹ方向に多数の１ターンコイルを配列しているセンスライン２７に、移動コイル２６から発生した電磁波が誘起した電圧を生ずる。
　これらのコイル群のうち１つのコイルが、ＣＰＯによってコントロールされるマルチプレクサ２８により選択され増幅回路２４に接続される。
　センスラインコイルに誘起した電圧は増幅回路２４により増幅され帯域フィルタ３１と帯域フィルタ３４に入力される。
　帯域フィルタ３０は、スイッチ２５を非操作のとに生ずる電磁波数のみを通過させ他の周波数は遮断する特性をもつフィルタである。
　フィルタ３０を通過した信号は検波回路３１で検波され、更に積分回路３２により積分され、信号強度信号に変換される。
　Ａ／Ｄ変換回路は、前記強度信号をディジタル信号に変換しＣＰＵ３９に入力する。
　一方帯域フィルタ３４はスイッチ３５が操作されたときに生ずる周波数の信号のみを通過し、それ以外の周波数は遮断する様に設定されている。
　帯域フィルタ３４の出力は検波回路３５により検波され更に積分回路３６に入力される。
　積分回路３６の出力はスイッチ２５非操作時は、出力は零であり、スイッチ２５を操作したときはコイル２１とセンスラインコイルの電磁結合強度に比例した信号となる。
　この信号を検出回路３７で検出したならその情報をＣＰＵ３９に伝える。
　ＣＰＵ３９はＡ／Ｄ変換回路の出力が最大となるセンスラインコイルの位置から移動コイル２６の位置を知り、座標値に変換して、ＣＡＤ等のコンピュータに座標情報を出力する。
　又、スイッチ２５を操作したときは検出回路３７の出力によりその情報をＣＡＤ等のコンピュータに出力する。
　発振回路３８はＣＰＵ３９にクロック信号を与える。
（第１頁右欄１３行〜第２頁左下欄６行）
　
　以上の記載により、刊行物３には、次の発明（以下、「刊行物３記載発明」という。）が記載されていると認められる。
　
　移動コイル部２６から信号を受信してデジタル信号に変換するＡ／Ｄ変換回路３３を有するデジタル座標入力装置であって、
　何らかの周波数のみを通過させ他の周波数は遮断する特性を持つ帯域フィルタ３０と、
　前記周波数と異なる周波数のみを通過し、それ以外の周波数は遮断する帯域フィルタ３４と、
を備え、帯域フィルタ３０の出力により移動コイル部２６の座標情報を出力し、帯域フィルタ３４の出力により移動コイル部２６に設けられた入力スイッチ２５の操作を検出するデジタル座標入力装置。
　
（２）対比
　本願補正発明と刊行物１記載発明を対比すると、刊行物１記載発明の「スタイラスペン１１」、「座標検出のための励磁信号」、「ファンクション信号」、「座標検出装置本体１２」は、それぞれ、本願補正発明の「スタイラス」、「スタイラス位置を示す第１の信号」、「テレメトリを示す第２の信号」、「タブレット」に相当する。
　すると、刊行物１記載発明の「励磁信号と、ファンクション信号を含む加算信号」は、本願補正発明の用語で表現すると、「スタイラス位置とテレメトリを含む信号」といえる。
　
　刊行物１記載発明の励磁発振器１１ａが発振した「励磁信号」は、本願補正発明の「第１の周波数ｆ１のキャリア信号」といえる。
　
　刊行物１記載発明の、信号を励磁信号とファンクション信号とに分離し受信するための、励磁信号を通過させる「フィルタ１２ｄ」は、本願補正発明の「スタイラス位置を示す第１の受信信号を受信する第１のフィルタ」といえる。
　
　刊行物１記載発明の、信号を励磁信号とファンクション信号と二分離し受信するための、ファンクション信号を通過させる「フィルタ１２ｅ」は、本願補正発明の「テレメトリを示す第２の受信信号を濾過する第２のフィルタ」といえる。
　
　したがって、両者の発明の一致点、相違点は、以下のとおりである。　
　
［一致点］
　「スタイラスからスタイラス位置とテレメトリを含む信号を受信するタブレットであって、
　前記スタイラス位置を示す第１の受信信号を受信する第１のフィルタと、
　テレメトリを示す第２の受信信号を濾過する第２のフィルタと、を備え、
　前記スタイラス位置を示す第１の信号は、第１の周波数ｆ１のキャリア信号を有する、
　タブレット。」である点。
　
［相違点］
・相違点１
　本願補正発明は、「信号を受信してデジタル信号に変換するデジタルタブレット」であるのに対して、刊行物１記載発明のタブレットは、デジタルタブレットであるのかどうか明らかではない点。
　
・相違点２
　本願補正発明は、第１のフィルタが「第１の周波数ｆ１を中心とする通過帯域を有し他の周波数帯域に対しては通過帯域を有さない特性」を有するのに対して、刊行物１記載発明は、第１のフィルタがそのような特性か明らかではない点。
　
・相違点３
　本願補正発明は、第２のフィルタが「第２の周波数ｆ２を中心とする通過帯域を有し他の周波数帯域に対しては通過帯域を有さない特性」を有し、テレメトリを示す第２の受信信号が「第２の周波数ｆ２のキャリア信号を有する」のに対して、
　刊行物１記載発明の第２のフィルタがそのような特性か明らかではなく、テレメトリを示す第２の受信信号が、第２の周波数ｆ２のキャリア信号を有するのか明らかではない点。
　
（３）判断
・相違点１
　刊行物１記載発明のタブレットは、ＣＡＤなどの入力装置として用いられ、また、刊行物１記載発明のファンクション信号検出器１２ｂは、ファンクション信号をコンピュータのＣＰＵ　ＤＡＴＡ　ＢＵＳに接続しており、刊行物１記載発明のタブレットが、デジタル信号を出力することは当業者に明らかである。
　よって、刊行物１記載発明において、タブレットを「信号を受信してデジタル信号に変換するデジタルタブレット」にすることは、当業者が適宜になし得ることである。
　
・相違点２
　第１の受信信号を受信する第１のフィルタは、第１の周波数ｆ１のキャリア信号を受信するものであるから、第１のフィルタを「第１の周波数ｆ１を中心とする通過帯域を有し他の周波数帯域に対しては通過帯域を有さない特性」のものとすることは当業者が適宜になし得る設計事項であって格別のことではない。
　
・相違点３
　タブレットにおいてスタイラスの位置を検出するための第１の受信信号と、当該受信信号と異なる周波数のテレメトリ（スタイラスにおける情報）を示す第２の受信信号（搬送波）を受信するに際してフィルタを設けることが刊行物２記載発明（第１の受信信号に関してフィルタは明示されていないが、フィルタを設けることは当業者にとって当然のことである。）、刊行物３記載発明に記載されている。そして、フィルタの特性をどのようなものとするかは設計的事項であるところ、受信信号を中心とする通過帯域を有するものとし、他の周波数帯域に対しては通過帯域を有さない特性のものとすることは当業者が適宜になし得る設計的事項である。
　そうすると、刊行物１記載発明において、刊行物２記載発明、あるいは刊行物３記載発明を適用して、第２のフィルタが「第２の周波数ｆ２を中心とする通過帯域を有し他の周波数帯域に対しては通過帯域を有さない特性」を有し、テレメトリを示す第２の受信信号が「第２の周波数ｆ２のキャリア信号を有する」ようにするは当業者が容易になし得ることである。
　
　そして、本願補正発明の作用効果は、刊行物１〜３記載発明から当業者が予測できる範囲のものである。
　
３．むすび
　以上のとおり、本件補正は、特許法第１７条の２第５項において準用する同法１２６条第５項の規定に違反するものであり、特許法第１５９条第１項において準用する同法第５３条第１項の規定により却下すべきものである。
　
第３．本願発明
　
１．本願発明
　平成１６年７月２１日付けの手続補正は上記のとおり却下されたので、本願の請求項１に係る発明（以下、「本願発明」という。）は、平成１５年１１月２０日付け手続補正書の特許請求の範囲の請求項１に記載された事項により特定される、以下のとおりのものと認める。
　
【請求項１】　スタイラスからアナログ信号を受信してデジタル信号に変換するデジタルタブレットであって、
　第１の周波数ｆ１を中心とする通過帯域を有し他の周波数帯域に対しては通過帯域を有さない特性を有し、第１の受信信号を受信する第１のフィルタと、
　第２の周波数ｆ２を中心とする通過帯域を有し他の周波数帯域に対しては通過帯域を有さない特性を有し、第２の受信信号を濾過する第２のフィルタと、
を備えることを特徴とするデジタルタブレット。
　
２．刊行物記載の発明
　これに対する刊行物１〜３記載の発明は、前記「第２．補正却下の決定　２．独立特許要件」の「（１−１）刊行物１記載の発明」、「（１−２）刊行物２記載の発明」、「（１−３）刊行物３記載の発明」で認定したとおりである。
　
３．本願発明と刊行物１記載の発明との対比・判断
　本願発明は、前記「第２．補正却下の決定　１．補正後の本願発明」で検討した本願補正発明の「スタイラス位置とテレメトリを含む信号」を「アナログ信号」に、「前記スタイラス位置を示す第１の受信信号は、前記第１の周波数ｆ１のキャリア信号を有し」を「第１の受信信号」に、「前記テレメトリを示す第２の受信信号は、前記第２の周波数ｆ２のキャリア信号を有する」を「第２の受信信号」に、それぞれ、限定を削除したものである。
　そうすると、本願発明の構成要件を全て含み、さらに他の構成要件を付加したものに相当する本願補正発明が、前記「第２．補正却下の決定　２．独立特許要件　（３）判断」に記載したとおり、刊行物１、２、３記載の発明に基づいて、当業者が容易に発明をすることができた程度のものであるから、本願発明も、同様の理由により、刊行物１、２、３記載の発明に基づいて、当業者が容易に発明をすることができたものである。
４．むすび
　以上のとおり、本願発明は、刊行物１、２、３記載の発明に基づいて、当業者が容易に発明をすることができたものであるから、特許法第２９条第２項の規定により特許を受けることができない。
　よって、結論のとおり審決する。